(57)【要約】【課題】シャープペンシルの軸筒１に取り付けられるクリップ４において、クリップ４が軸筒１に対して回動自在に取り付けられ、かつ、クリップ４を操作することによりクリップ４の受部４Ａを大きく離間するシャープペンシル用クリップを提供する。【解決手段】軸筒１の後部に固定部材２を回動自在に取り付ける。この固定部材２の隆起部２Ａにクリップ４の支点部を枢着する。クリップ４はバネによりクリップの前部を内側に付勢するが、通常はクリップの受部が軸筒の表面よりわずかに離間している。しかし、クリップ４の後部を押操作することによりクリップの前部が持ち上げられ、クリップ４の受部４Ａが軸筒１の表面より大きく離間する。【選択図】        図１
2008023712.tif 000002
【特許請求の範囲】
【請求項１】
シャープペンシルの軸筒に取り付けられるクリップにおいて、軸筒の後部に固定部材を回動自在に取り付け、この固定部材に受部が軸筒の表面よりわずかに離間してクリップが取り付けられ、クリップを操作することによりクリップの受部を更に大きく離間することを特徴とするシャープペンシル用クリップ。
【請求項２】
軸筒の後部に頭冠を取り付け、軸筒と頭冠の間にクリップの固定部材を遊嵌することにより、固定部材を軸筒に対して回動自在に取り付けたことを特徴とする請求項１記載のシャープペンシル用クリップ。
【請求項３】
軸筒の後部内面に円周状の凹溝を形成するとともに、固定部材の前部を細径に形成し、かつ、この細径部に突部を形成し、固定部材の細径部を軸筒の後部に挿入して突部を軸筒の凹溝に遊嵌させることにより、固定部材を軸筒に対して回動自在に取り付けたことを特徴とする請求項１記載のシャープペンシル用クリップ。
【請求項４】
固定部材の隆起部にクリップの支点部を枢着し、かつ、バネによりクリップの前部を内側に付勢し、クリップの前部に形成した受部と軸筒の表面がわずかに離間するとともに、クリップの後部を押操作することによりクリップの前部を持ち上げ、クリップの受部が軸筒の表面より大きく離間することを特徴とする請求項１乃至３のいずれか１項に記載のシャープペンシル用クリップ。
【発明の詳細な説明】
【技術分野】
【０００１】
本発明は、軸筒に対して回転自在に取り付けられるシャープペンシル用クリップに関するものである。
【背景技術】
【０００２】
従来、シャープペンシルにおいては、傾けて筆記を行うと芯の先端が傾斜して摩耗するので徐々に筆跡の幅が広がってしまうものであった。したがって、筆記者は筆跡の幅が広がるとシャープペンシルを回転して尖ったエッジで筆記を行っていた。しかし、シャープペンシルを回転して筆記を行うと、クリップが手に当たって筆記しにくい状態が生じていた。この点を解消する手段として、クリップを回転自在に取り付け、このクリップの先端の玉部を軸筒の環状溝に嵌合状態にて係合した筆記具が知られている。（特許文献１参照）
【特許文献１】実開昭５５−７０２９２号公報
【発明の開示】
【発明が解決しようとする課題】
【０００３】
しかしながら、上記した筆記具は服のポケット等に筆記具のクリップを挟む時に、非常に挟みにくいものであった。
本発明は、上記課題を解消するシャープペンシル用クリップを提供することを目的とするものである。
【課題を解決するための手段】
【０００４】
本発明は、シャープペンシルの軸筒に取り付けられるクリップにおいて、軸筒の後部に固定部材を回転自在に取り付け、この固定部材に受部が軸筒の表面よりわずかに離間してクリップが取り付けられ、クリップを操作することによりクリップの受部を更に大きく離間することを第１の要旨とする。
【０００５】
また、軸筒の後部を細径部とし、この細径部に固定部材を回動自在に取り付け、更に軸筒の後端に頭冠を取り付け、軸筒の外段と頭冠の間にクリップの固定部材を遊嵌することにより、固定部材を軸筒に対して回動自在に取り付けたことを第２の要旨とする。
【０００６】
更に、軸筒の後部内面に円周状の凹溝を形成するとともに、固定部材の前部を細径に形成し、かつ、この細径部に突部を形成し、固定部材の細径部を軸筒の後部に挿入して突部を軸筒の凹溝に遊嵌させることにより、固定部材を軸筒に対して回動自在に取り付けたことを第３の要旨とする。
【０００７】
更にまた、固定部材の隆起部にクリップの支点部を枢着し、バネによりクリップの前部を内側に付勢し、クリップの前部に形成した受部と軸筒の表面がわずかに離間するとともに、クリップの後部を押操作することによりクリップの前部を持ち上げ、クリップの受部が軸筒の表面より大きく離間することを第４の要旨とする。
【発明の効果】
【０００８】
本発明は、シャープペンシルの軸筒に対してクリップが回動するので、シャープペンシルを回して筆記してもクリップが邪魔にならない効果が得られる。しかも、服のポケット等をクリップが挟む場合には、クリップの先端を持ち上げてクリップの受部と軸筒との間にポケットの服地を差し込むので、容易にクリップで挟持することができる効果が奏せられるものである。
【発明を実施するための最良の形態】
【０００９】
通常は、クリップの受部が軸筒よりわずかに離間しているので、クリップが確実に回転することができる。また、クリップで服のポケット等を挟む場合には、クリップの先端が持ち上げられるので、容易に挟むことができるシャープペンシル用クリップを実現した。
【実施例１】
【００１０】
以下、図１、図２及び図３に基いて本発明における実施例１のシャープペンシル用クリップを説明する。先ず、シャープペンシルに用いられる軸筒１の後部を細径に形成し、この細径部１Ａに筒状の固定部材２を回動自在に嵌め込む。更に、軸筒１の後部に頭冠３を固着し、軸筒１の外段１Ｂと頭冠３の外段３Ａとの間に固定部材２を回動自在に遊嵌する。この固定部材２には、隆起部２Ａが形成され、この隆起部２Ａの両側に係合突起２Ｂが形成される。また、隆起部２Ａの天部にはやや前方に上端が平坦に形成されたストッパー２Ｃが形成される。更に、固定部材２の隆起部２Ａよりやや後方に突部２Ｄが形成される。
【００１１】
クリップ４は、前部に受部４Ａが形成されるとともに、やや後方に両側から下方向に伸びた壁部４Ｂを形成する。この２つの壁部４Ｂにはそれぞれ係合孔４Ｃが形成される。更に、クリップ４には壁部４Ｂより後方に伸びた後端部４Ｄを形成する。
【００１２】
前記固定部材２の突部２Ｄにコイルスプリング５の下部を被せてコイルスプリング５を取り付ける。次に、固定部材２の隆起部２Ａにクリップ４の壁部４Ｂを被せ、壁部４Ｂの係合孔４Ｃに隆起部２Ａに形成した係合突起２Ｂを嵌め込んでクリップ４を隆起部２Ａに枢着する。この時、クリップ４の後部内面が前記コイルスプリング５に押圧され、クリップ４の前部が内側に付勢される。しかし、固定部材２の隆起部２Ａに形成されたストッパー２Ｃの上端がクリップ４の内面に当接されるので、クリップ４の前部に形成された受部４Ａが軸筒１の表面からわずかに離間される。
【００１３】
上記軸筒１を用いるシャープペンシルとしては、軸筒１の後端より突出したノブ６を押圧することによりチャックを前進して芯を繰り出すノック式シャープペンシルや、振ることにより重量体の慣性力によりチャックを前進させて芯を繰り出す振出式シャープペンシルや、軸筒の前部に形成した窓から突出したボタンを押圧することによりチャックを前進させて芯を繰り出すサイドノック式シャープペンシルや、胴に取り付けられた軸筒を回転することにより芯を繰り出す回転式シャープペンシル等種々のシャープペンシルが考えられる。
【００１４】
上記シャープペンシルで筆記を行い、芯が摩耗して先端が傾斜面となった場合には、シャープペンシルを回転して筆記を行うが、この時クリップ４が手に当接した場合にはクリップ４及び固定部材２が軸筒１に対して回転するので、クリップ４は筆記の邪魔にならない位置に移動する。
【００１５】
また、筆記を終了しシャープペンシルを携帯する場合には、クリップ４の後端部４Ｄを押すと、隆起部２Ａの係合突起２Ｂに枢着された係合孔４Ｃを支点としてクリップ４が回転し、クリップ４の前部が上方に持ち上げられる。そして、クリップ４の後部内面が固定部材２の突部２Ｄに当接され図４の状態となる。すると、クリップ４の受部４Ａは軸筒１の表面より大きく離間するので、ポケットの服地等をクリップ４内に挿入し易くなり、確実にクリップ４で挟持することができる。
【実施例２】
【００１６】
図５及び図６は本発明における実施例２を示すもので、軸筒１１の後部内面に円周状の凹溝１１Ｃを形成する。また、固定部材１２の前部を細径に形成し、この細径部１２Ｅに突部１２Ｆを形成する。更に、細径部１２Ｅの両側には開口窓１２Ｇが形成され、突部１２Ｆが撓み易い形状となっている。この固定部材１２の細径部１２Ｅを前記軸筒１１の後部に挿入し、固定部材１２の突部１２Ｆを軸筒１１の凹溝１１Ｃに遊嵌することにより、固定部材１２は軸筒１１に対して回動自在に取り付けられる。固定部材１２にクリップ４を取り付ける構成は実施例１と同様なので、符号を付して説明は省略する。
【実施例３】
【００１７】
図７は本発明における実施例３を示すもので、頭冠１３に固定部材２２を回動自在に嵌め込み、この頭冠１３の前部を軸筒２１の後部に圧入固着し、軸筒２１の後端と頭冠１３の外段１３Ａとの間に固定部材２２を回動自在に遊嵌する。固定部材２２にクリップ４を取り付ける構成は実施例１と同様なので、符号を付して説明は省略する。
【産業上の利用可能性】
【００１８】
シャープペンシル用クリップが軸筒を回しても手に当たる位置から移動して筆記の邪魔にならず、しかも、ポケットの服地等は容易にかつ確実にクリップで挟持することができる。
【図面の簡単な説明】
【００１９】
【図１】本発明の実施例１のシャープペンシル用クリップを示す主要部断面図である。（実施例１）
【図２】図１のＡ−Ａ線を示す拡大断面図である。（実施例１）
【図３】本発明の実施例１のシャープペンシル用クリップを示す主要部断面図である。（実施例１）
【図４】クリップの受部が軸筒の表面より大きく離間した状態を示す主要部断面図である。（実施例１）
【図５】本発明の実施例２のシャープペンシル用クリップを示す主要部断面図である。（実施例２）
【図６】図５のＡ−Ａ線を示す拡大断面図である。（実施例２）
【図７】本発明の実施例３のシャープペンシル用クリップを示す主要部断面図である。（実施例３）
【符号の説明】
【００２０】
１  軸筒
２  固定部材
４  クリップ
４Ａ  クリップ４の受部
１１  軸筒
１１Ｃ  軸筒１１の凹溝
１２  固定部材
１２Ｅ  固定部材１２の細径部
１２Ｆ  固定部材１２の突部
２１  軸筒
２２  固定部材
【図１】
2008023712.tif 000003
【図２】
2008023712.tif 000004
【図３】
2008023712.tif 000005
【図４】
2008023712.tif 000006
【図５】
2008023712.tif 000007
【図６】
2008023712.tif 000008
【図７】
2008023712.tif 000009